(57)【要約】  【課題】施工面からの露出部分に対して、流通時や施工時に傷が付いたり汚れが付着したりするのを防止することができる化粧プレートを提供する。  【解決手段】化粧プレート２０は、化粧プレート本体２０ａの前面側において施工面からの露出部分の全面および窓孔２１を覆う取り外し可能なフィルム２３ｂが装着されている。フィルム２３ｂは、シュリンクフィルムにより形成されており、化粧プレート本体２０ａの後面側における不要部分は切除してある。【選択図】      図１
2005073432.tif 000002
【特許請求の範囲】
【請求項１】
配線器具を保持し施工面に配設するプレート枠の前面を覆うようにプレート枠に取着される化粧プレートであって、少なくとも施工面からの露出部分の全面を覆い取り外し可能なフィルムが化粧プレート本体に装着されてなることを特徴とする化粧プレート。
【請求項２】
前記プレート枠の周方向に離間して形成された複数の係止孔それぞれに係合する複数の係止突起が前記化粧プレート本体の後面から突設されており、前記フィルムは、前記化粧プレート本体の後面側における中央部が切除され内周縁が前記化粧プレート本体の外周縁と係止突起との間に位置していることを特徴とする請求項１記載の化粧プレート。
【請求項３】
前記フィルムは、前記化粧プレート本体において配線器具の前面を露出させる窓孔を覆い且つ前記プレート枠に配線器具が保持された状態での前記プレート枠への前記化粧プレート本体の取り付けを妨げないような余裕を有するように装着されてなることを特徴とする請求項１または請求項２記載の化粧プレート。
【発明の詳細な説明】
【技術分野】
【０００１】
本発明は、配線器具を保持し施工面に配設するプレート枠の前面を覆うようにプレート枠に取着される化粧プレートに関するものである。
【背景技術】
【０００２】
従来より、壁面などの施工面に設けた埋込孔に埋込ボックス（スイッチボックス）を埋設し、スイッチやコンセントなどの配線器具が着脱自在に取り付けられるプレート枠を埋込孔の前面側から埋込ボックスに取り付け、さらにプレート枠の前面に化粧プレートを取着することで配線器具を壁などに見栄え良く埋込配設するようにした配線器具用プレートが提供されている。ここに、配線器具用プレートは、化粧プレート本体の後面から突出した係止突起とプレート枠に形成された係止孔との係合により化粧プレートとプレート枠とが結合されるようになっている。
【０００３】
ところで、上述の配線器具用プレートは、例えば、図１９に示すように、プレート枠１０と化粧プレート２０’とを反対向きに重ねた状態で同一のピロー袋５内に包装して代理店や販売店などでセット販売されている。また、化粧プレート２０’は工場からの出荷時には図２０（ａ）に示すようにピロー６袋に個別に包装されており、代理店や販売店において、ピロー袋６から化粧プレート２０’を取り出して図２０（ｂ）に示すようにプレート枠１０および配線器具４と組み合わせてセット販売することもある。
【０００４】
ところで、図２１（ａ）に示すように配線器具４を取着したプレート枠１０を埋込ボックス（図示せず）に取着してから、プレート枠１０に化粧プレート２０’を取り付けた後で内装工事（塗装）を行う場合、化粧プレート２０’の露出面に塗料（例えば、ペンキなど）５１が付着してしまうことがあり、引き渡し時に図２１（ｂ）に示すように化粧プレート２０’の前面に塗料５１が付着したまま残っていて見栄えが悪いことがあった。
【０００５】
そこで、配線器具用プレートの施工にあたって内装工事の際に用いる塗料により化粧プレート２０’の前面が汚れるのを防止するために、図２２（ａ）に示すように配線器具４を取着したプレート枠１０をボックスねじ３１，３１により埋込ボックス（図示せず）に取り付けた後、化粧プレート２０’を取り付ける前に内装工事を行い、その後、図２２（ｂ）に示すように化粧プレート２０’をプレート枠１０に取り付ける方法が考えられる。このような方法を採用すれば、図２２（ａ）に示すようにプレート枠１０前面の一部に塗料５１が付着した場合でも、引き渡し時には図２２（ｃ）に示すように化粧プレート２０’によりプレート枠１０の前面が覆われているので、塗料５１による汚れは化粧プレート２０’により隠されることになる。
【０００６】
また、従来から、配線器具を取着したプレート枠を埋込ボックスに取り付けた後でクロスのような内装材を貼り付け、クロスのうちプレート枠および配線器具に重なる部分を切除してから化粧プレートをプレート枠へ取り付けるようにした施工方法が提案されており、配線器具の前面を汚すことなく内装工事を行うために、内装工事前に配線器具の前面およびプレート枠の前面を覆う保護カバーをプレート枠に貼り付け、内装工事を終えた後で保護カバーを剥がし、プレート枠に化粧プレートを取着する方法が提案されている（例えば、特許文献１）。
【特許文献１】特開２００２−８４６１９号公報（第４頁−第５頁、図１、図２、図５）
【発明の開示】
【発明が解決しようとする課題】
【０００７】
しかしながら、上述の配線器具用プレートでは、流通時にピロー袋５から化粧プレート２０’を取り出してプレート枠１０および配線器具４と組み合わせたりする際や施工時などに化粧プレート２０’の前面に傷が付いて結果的に見栄えが悪くなってしまうことがあった。また、上述した各例のいずれの方法で内装工事を行ったとしてもプレート枠１０に化粧プレート２０’を取り付けた後で工事業者の手などが化粧プレート２０’の前面に触れたりして化粧プレート２０’の前面が汚れてしまうことがあった。
【０００８】
本発明は上記事由に鑑みて為されたものであり、その目的は、施工面からの露出部分に対して、流通時や施工時に傷が付いたり汚れが付着したりするのを防止することができる化粧プレートを提供することにある。
【課題を解決するための手段】
【０００９】
請求項１の発明は、配線器具を保持し施工面に配設するプレート枠の前面を覆うようにプレート枠に取着される化粧プレートであって、少なくとも施工面からの露出部分の全面を覆い取り外し可能なフィルムが化粧プレート本体に装着されてなることを特徴とする。
【００１０】
この発明によれば、流通時に化粧プレートを包装した袋から化粧プレートを取り出したり、化粧プレートとプレート枠とを結合する際や施工時に化粧プレート本体における施工面からの露出部分の全面に傷が付くのを防止することができ、しかも、施工後に内装工事を行うような場合に化粧プレート本体における施工面からの露出部分の全面が塗料や工事業者の手などによって汚れるのを防止することができる。つまり、施工面からの露出部分に対して、流通時や施工時や内装工事の際に傷が付いたり汚れが付着したりするのを防止することができる。なお、フィルムは施工と内装工事とを終えた後、例えば引き渡し直前に取り外すようにすればよい。
【００１１】
請求項２の発明は、請求項１の発明において、前記プレート枠の周方向に離間して形成された複数の係止孔それぞれに係合する複数の係止突起が前記化粧プレート本体の後面から突設されており、前記フィルムは、前記化粧プレート本体の後面側における中央部が切除され内周縁が前記化粧プレート本体の外周縁と係止突起との間に位置していることを特徴とする。
【００１２】
この発明によれば、施工後に内装工事を行うような場合に前記化粧プレート本体に塗料が付着するのをより確実に防止することができる。
【００１３】
請求項３の発明は、請求項１または請求項２の発明において、前記フィルムは、前記化粧プレート本体において配線器具の前面を露出させる窓孔を覆い且つ前記プレート枠に配線器具が保持された状態での前記プレート枠への前記化粧プレート本体の取り付けを妨げないような余裕を有するように装着されてなることを特徴とする。
【００１４】
この発明によれば、施工時に前記フィルムの存在によって配線器具の取り付けに不具合が生じるのを防止することができるとともに、配線器具がスイッチのような前面側に操作ハンドルを備えたものの場合に、前記フィルムを取り外すことなく操作ハンドルを操作でき、配線器具の施工検査が可能となる。したがって、前記フィルムは、スイッチ、コンセントなどの配線器具の種別によらず、施工と内装工事とを終えた後、例えば引き渡し直前に取り外すようにすればよい。
【発明の効果】
【００１５】
本発明では、施工面からの露出部分に対して、流通時や施工時や内装工事の際に傷が付いたり汚れが付着したりするのを防止することができるという効果がある。
【発明を実施するための最良の形態】
【００１６】
（実施形態１）
以下、本実施形態の化粧プレート２０について図１〜図５を参照して説明する前に、化粧プレート２０の後面側に配置されるプレート枠１０について図８〜図１０を参照して説明する。なお、本実施形態では、プレート枠１０と化粧プレート２０とで配線器具用プレートを構成している。
【００１７】
プレート枠１０は、例えばスイッチなどの埋込型の配線器具４（例えば、図１１〜図１３参照）を着脱自在に保持し壁面のような施工面に設けた埋込孔の開口周部を覆う形で設置される。なお、図１１〜図１３に示した埋込型の配線器具４はスイッチであるが、スイッチに限らず、コンセントなど他の配線器具でもよいことは勿論である。
【００１８】
上述のプレート枠１０は、合成樹脂製であって絶縁性を有し、図８〜図１０に示すように、配線器具４の器体４０の前面を露出させる長方形状の窓孔１１を中央部に備えた矩形枠状に形成されている。プレート枠１０の窓孔１１の長手方向に沿った両側縁の後面側にはそれぞれ帯板状の固定梁部１４と可動梁部１５とが互いに対向する形で設けてある。
【００１９】
固定梁部１４および可動梁部１５において窓孔１１に望む一面には、器体４０の両側面に各一対ずつ突設された取付爪４２と係合する器具取付手段としての取付孔たる保持溝１７ａ，１７ｂが各々３対ずつ設けてある。したがって、取付爪４２を各保持溝１７ａ，１７ｂに凹凸係合させると、器体４０の前面を窓孔１１から露出させた形でプレート枠１０に器体４０を取着することができる。要するに、プレート枠１０に配線器具４の器体４０を取り付けるには、器体４０をプレート枠１０の後方から挿入して器体４０の長手方向の一側面に突設した取付爪４２を固定梁部１４の保持溝１７ａに係合させておき、器体４０をプレート枠１０に対して前方へ押し込むと、器体４０の他側面に突設した取付爪４２が可動梁部１５を撓ませ、取付爪４２を保持溝１７ｂに容易に係合させることができる。
【００２０】
一方、固定梁部１４の基部には隣接する各一対の保持溝１７ａの間でプレート枠１０の表裏に貫通する器具外し孔１６が穿設してあり、器体４０をプレート枠１０に取着した状態で、ドライバや取り外し専用の冶具などの先端部分を器具外し孔１６に挿入し、冶具の先端部分で器体４０を可動梁部１５側へ押すと梃子の原理によってわずかな力で可動梁部１５を撓ませることができ、固定梁部１４側の保持溝１７ａと器体４０の取付爪４２との係合状態を解除してプレート枠１０から器体４０を取り外すことができるようになっている。なお、プレート枠１０は、可動梁部１５の近傍に、前後方向に貫通する複数のスリット１０ｂが可動梁部１５の長手方向に沿って形成されており、可動梁部１５を撓ませることができるようになっている。
【００２１】
また、プレート枠１０は壁に埋込配設された埋込ボックス（図示せず）の開口側に設けた取付舌片に螺合するボックスねじを挿通するための一対の長孔１３が形成され、さらに、後述の化粧プレート２０の係止突起２２が挿入係止される係止孔１２が四隅に形成されている。プレート枠１０の周部の下面には窓孔１１に近づく向きに窪んだ逃がし部１８が設けられ、逃がし部１８の後部から薄肉のリブ１９が下方へ延設されている。なお、逃がし部１８およびリブ１９については後述する。
【００２２】
プレート枠１０の前面側に着脱自在に取着される化粧プレート２０の化粧プレート本体２０ａは、図５に示すように、外周形状が矩形状であって、配線器具４の器体４０の前面側を露出させる長方形状の窓孔２１が中央部に形成されている。化粧プレート本体２０ａの外形寸法はプレート枠１０の対応する部位の外形寸法よりも大きくしてある。すなわち、プレート枠１０に化粧プレート本体２０ａを取り付けたとき、プレート枠１０が化粧プレート本体２０ａの内側に収まり化粧プレート本体２０ａの後述の周壁２３ｂの後端縁が壁面などの施工面にほぼ当接する。化粧プレート本体２０ａは、プレート枠１０と同様に合成樹脂によって形成されて、プレート枠１０に結合するための上述の４本の係止突起２２が前壁２３ａの後面の四隅から突設されている。したがって、化粧プレート２０は、化粧プレート本体２０ａの係止突起２２をプレート枠１０の係止孔２２に挿入係止させることによってプレート枠１０に結合されるようになっている。ここにおいて、化粧プレート本体２０ａの前壁２３ａの後面には、プレート枠１０のスリット１０ｂに嵌入される突条片２５が突設されているので、化粧プレート本体２０ａをプレート枠１０に取着した場合、突条片２５がスリット１０ｂに嵌入されていることにより、可動梁部１５の動き（撓み）が規制される。
【００２３】
化粧プレート本体２０ａは前壁２３ａの外周縁から後方に向かって延設された周壁２３ｂを備え、周壁２３ｂにおいてプレート枠１０の逃がし部１８に対応する部位に後縁が開放された切欠部２４が形成されており、プレート枠１０に化粧プレート本体２０ａが結合された状態において、切欠部２４にマイナスドライバや取り外し専用の治具などの先端部を差し込んで化粧プレート本体２０ａに前面側への力を作用させると、化粧プレート本体２０ａの係止突起２２とプレート枠１０の係止孔１２との係止状態が解除され、化粧プレート本体２０ａをプレート枠１０から取り外すことができるようになっている。ここで、プレート枠１０には上述の逃がし部１８が形成されているので、切欠部２４に差し込んだ治具を奥まで挿入することができ、化粧プレート本体２０ａを取り外す際に力を加えやすくなっている。また、プレート枠１０に上述のリブ１９を設けてあることにより、化粧プレート本体２０ａの切欠部２４に差し込んだ治具によって施工面に傷が付くのを防止することができる。
【００２４】
ここに、上述のスイッチからなる配線器具４は、プレート枠１０および化粧プレート本体２０ａの中央部の窓孔１１，２１を通して操作ハンドル４３の一部を化粧プレート本体２０ａの前方に突出させることができ、操作ハンドル４３を操作することができることになる。また、上述の配線器具４としてのスイッチは、器体４０の前面側に設けた操作ハンドル４３の両端部を交互に押操作することにより両端部が交互に起伏動作して接点切換えを行う波動スイッチであるが、器体４０内の接点を閉じる際に応力を作用させるべき端部の前面に押位置指示突起４５を突設してあるので、器体４０内の接点を閉じる際に応力を作用させるべき端部を手触りで確認することができる。また、操作ハンドル４３の中央には、器体４０内に納装され接点が開放された状態の時に点灯するネオンランプからなる位置表示灯（図示せず）の光を外部に取り出すための表示部４６が設けられている。なお、図１１〜図１３に示した例では、操作ハンドル４３の一端部に押位置指示突起４５を突設してあるが、器体４０内の接点の構成によっては押位置指示突起４５を設けていないものもある。また、図１１〜図１３に示した例では、操作ハンドル４３に表示部４６を設けているが、配線器具４としてのスイッチが位置表示灯を備えていない場合には表示部４６は設けられていない。
【００２５】
ところで、図１１に示した配線器具４の器体４０の短手方向（図１１の上下方向）の寸法はプレート枠１０の窓孔１１の長手方向の寸法の略３分の１の寸法に形成されており、この寸法を１個モジュール寸法と呼ぶことにすれば、プレート枠１０には１個モジュール寸法の器体４０を３個まで取り付けることができ、窓孔１１内で器体４０の取付位置を３箇所選択できるようになっている。ここに、図１１における操作ハンドル４３は、プレート枠１０に１個モジュール寸法の器体４０を１個取り付ける際に用いるものであって、プレート枠１０および化粧プレート本体２０ａの窓孔１１，２１を１個で覆う程度の寸法を有しているので、１個用の操作ハンドルと呼ぶことにする。
【００２６】
なお、操作ハンドル４３は、操作ハンドル本体４３ａと、操作ハンドル本体４３ａの前面側に被着される前面側ハンドルカバー４３ｂとで構成されており、操作ハンドル本体４３ａの前面側にハンドルカバー４３ｂを被着した状態でハンドルカバー４３ｂの前面および操作ハンドル本体４３ａの両端部の前面が化粧プレート本体２０ａの窓孔２１を通して露出するが、操作ハンドル本体４３ａの色をハンドルカバー４３ｂの色および化粧プレート本体２０ａの色と異ならせてあるので、操作ハンドル４３の操作位置（操作ハンドル本体４３ａの両端部）を視認しやすい。また、操作ハンドル本体４３ａの両端部それぞれの前面には、プレート枠１０の窓孔１１の長手方向に走る複数の凹溝４４を設けることにより押位置指示凹凸が形成されているので、手触りで操作ハンドル４３の操作位置が分かるようになる。
【００２７】
また、図１２に示したスイッチからなる配線器具４の操作ハンドル４３は、プレート枠１０の窓孔１１を２個で覆う程度の寸法に形成されているので、２個用の操作ハンドル４３と呼ぶことにする。すなわち、２個用の操作ハンドル４３は、プレート枠１０の窓孔１１の短手方向に沿う方向の寸法が１個用の操作ハンドル４３と同じで且つ長手方向に沿う方向の寸法が１個用の操作ハンドル４３の略２分の１の寸法に設定されている。しかして、図１２に示したスイッチからなる配線器具４は、１個モジュール寸法の器体４０を３個まで取り付けることができるプレート枠１０に対して、２個取り付けて使用することができる。
【００２８】
また、図１３に示したスイッチからなる配線器具４の操作ハンドル４３は、プレート枠１０の窓孔１１を３個で覆う程度の寸法に形成されているので、３個用の操作ハンドル４３と呼ぶことにする。すなわち、３個用の操作ハンドル４３は、プレート枠１０の窓孔１１の短手方向に沿う方向の寸法が１個用の操作ハンドル４３と同じで且つ長手方向に沿う方向の寸法が１個用の操作ハンドル４３の略３分の１の寸法に設定されている。しかして、図１３に示したスイッチからなる配線器具４は、１個モジュール寸法の器体４０を３個まで取り付けることができるプレート枠１０に対して、３個取り付けて使用することができる。
【００２９】
なお、化粧プレート本体２０ａの窓孔２１の寸法や数はプレート枠１０に取り付けられる配線器具４の大きさや数に応じて設定すればよく、例えば、図６に示すように、化粧プレート本体２０ａの窓孔２１の上下方向の寸法をプレート枠１０の窓孔１１の上下方向の寸法に比べて小さく設定してもよいし、例えば図７（ａ）に示すように窓孔２１の上下方向の寸法を２個モジュール寸法の器体４０に対応する寸法としてもよいし、図７（ｂ）に示すように上下方向の寸法が１個モジュール寸法の器体４０に対応する窓孔２１を上下方向に離間して形成するようにしてもよいし、図７（ｃ）に示すように上下方向の寸法を３個モジュール寸法の器体４０に対応する寸法としてもよいし、図７（ｄ）に示すように窓孔を設けていない構造としてもよい。
【００３０】
ところで、本実施形態の化粧プレート２０は、配線器具４を保持し施工面に配設するプレート枠１０の前面を覆うように取着されるものであるが、化粧プレート本体２０ａの前面側において施工面からの露出部分の全面および窓孔２１を覆い取り外し可能な透明なフィルム２３ｂが化粧プレート本体２０ａに装着されている。フィルム２３ｂは、厚さが約０．０２ｍｍのシュリンクフィルムにより形成されている。ここにおいて、化粧プレート本体２０ａにフィルム２３ｂを装着するにあたっては、例えば、合成樹脂成形品からなる化粧プレート本体２０ａを化粧プレート本体２０ａよりも大きな外形寸法のシュリンク袋に入れて当該シュリンク袋をシールしてから、シュリンク袋を熱収縮させ、その後、熱収縮したシュリンク袋のうち化粧プレート本体２０ａの後面側の不要部分をカッタなどにより切除すればよい。このように化粧プレート本体２０ａにフィルム２３ｂを装着した化粧プレート２０は、工場からの出荷時には図３（ａ）に示すようにピロー袋６に個別に包装（ラッピング包装）するようにし、代理店や販売店において、ピロー袋６から化粧プレート２０を取り出して、図３（ｂ）に示すようにプレート枠１０および配線器具４と組み合わせてセット販売するようにしてもよいし、図２に示すように、化粧プレート２０とプレート枠１０とを反対向きに重ねて同一のピロー袋５に包装して代理店や販売店などでセット販売するようにしてもよい。なお、本実施形態では、化粧プレート本体２０ａの前面側において施工面からの露出部分の全面および窓孔２１を覆うようにフィルム２３ｂを装着してあるが、フィルム２３ｂは、少なくとも化粧プレート本体２０ａにおける施工面からの露出部分の全面を覆うように装着してあればよい。
【００３１】
以上説明した本実施形態の化粧プレート２０の構成によれば、図４（ａ）に示すように配線器具４を取着したプレート枠１０を埋込ボックスに取着してからプレート枠１０に化粧プレート２０を取り付けた後で内装工事（塗装）を行った際、化粧プレート２０の露出面であるフィルム２０ｂに塗料（例えば、ペンキなど）５１が付着してしまうことがあるが、内装工事の後で図４（ｂ）に示すように手でフィルム２０ｂを取り外すようにすれば、図４（ｃ）に示すように、引き渡し時に化粧プレート本体２０ａの前面に塗料５１が付着したまま残っているような不具合をなくすことができ、美麗な状態で引き渡すことができる。
【００３２】
しかして、本実施形態の化粧プレート２０では、流通時に化粧プレート２０を包装したピロー袋５，６から化粧プレート２０を取り出したり、化粧プレート２０とプレート枠１０とを結合する際や施工時に化粧プレート本体２０ａにおける施工面からの露出部分の全面に傷が付くのを防止することができ、しかも、内装工事の際に化粧プレート本体２０ａにおける施工面からの露出部分の全面が塗料や工事業者の手などによって汚れるのを防止することができる。つまり、化粧プレート本体２０ａにおける施工面からの露出部分に対して、流通時や施工時に傷が付いたり汚れが付着したりするのを防止することができる。なお、フィルム２３ｂは施工と内装工事とを終えた後、例えば引き渡し直前に取り外すようにすればよい。
【００３３】
ところで、図１に示した化粧プレート２０においては、化粧プレート本体２０ａの前面側において施工面からの露出部分の全面および窓孔２１を覆うようにフィルム２３ｂを装着してあり、フィルム２３ｂが化粧プレート本体２０ａの周壁２３ｂの後端縁も覆っているが、施工と内装工事とをほぼ同時に行うような場合に化粧プレート本体２０ａに傷が付いたり汚れが付着するのをより確実に防止するには図１４に示すように、フィルム２３ｂの一部が化粧プレート本体２０ａの後面側の周部まで覆っている方が好ましい。ここに、図１４におけるフィルム２３ｂは、化粧プレート本体２０ａの後面側における中央部が切除され内周縁が化粧プレート本体２０ａの外周縁と係止突起２２との間に位置している。
【００３４】
また、化粧プレート２０を、窓孔２１から突出する部分が比較的大きな配線器具（例えば、上述の１個用の操作ハンドル４３を備えたスイッチからなる配線器具４）を保持したプレート枠１０に取着するような場合、フィルム２３ｂは、図１５に示すように、プレート枠１０に配線器具４が保持された状態でのプレート枠１０への化粧プレート本体２０ａの取り付けを妨げないような余裕を有するように装着されていることが好ましい。図１４におけるフィルム２０ｂと図１５におけるフィルム２０ｂとの違いは、フィルム２０ｂの皺のより方であり、図１５のフィルム２０ｂの方が遊びが大きく、プレート枠１０に配線器具４が保持された状態でのプレート枠１０への化粧プレート２０の取り付け時にフィルム２０ｂから配線器具４に大きな力がかかるのを防止することができ、プレート枠１０へ化粧プレート２０を容易に取り付けることができる。
【００３５】
しかして、図１５に示すような化粧プレート２０を採用すれば、図１６〜図１８に示すように配線器具４がスイッチのような前面側に操作ハンドル４３を備えたものの場合に、施工時にフィルム２０ｂの存在によって配線器具４の取り付けに不具合が生じるのを防止することができるとともに、フィルム２０ｂを取り外すことなく操作ハンドル４３を操作でき、配線器具４の施工検査が可能となる。したがって、フィルム２０ｂは、スイッチ、コンセントなどの配線器具４の種別によらず、施工と内装工事とを終えた後、例えば引き渡し直前に取り外すようにすればよい。
【図面の簡単な説明】
【００３６】
【図１】実施形態の化粧プレートを示し（ａ）は正面図、（ｂ）は背面図である。
【図２】同上の化粧プレートの販売形態の一例を示す正面図である。
【図３】同上の化粧プレートの流通および販売の説明図である。
【図４】同上の化粧プレートの施工方法の説明図である。
【図５】同情における化粧プレート本体を示し、（ａ）は背面図、（ｂ）は一部破断した下面図、（ｃ）は（ａ）のＢ−Ｂ’断面図、（ｄ）は正面図である。
【図６】同上における化粧プレート本体の他の構成例においてプレート枠に取り付けた状態を示し、（ａ）は正面図、（ｂ）は下面図、（ｃ）は側面図、（ｄ）は背面図である。
【図７】同上における化粧プレート本体の他の構成例図である。
【図８】プレート枠を示し、（ａ）は正面図、（ｂ）は（ａ）のＡ−Ａ’断面図、（ｃ）は（ａ）のＣ−Ｃ’断面図、（ｄ）は（ａ）のＤ−Ｄ’断面図である。
【図９】同上のプレート枠の背面図である。
【図１０】同上のプレート枠を示し、図８（ａ）のＢ−Ｂ’断面を含む側面図である。
【図１１】配線器具の一例を示し、（ａ）は正面図、（ｂ）は側面図、（ｃ）は背面図、（ｄ）は下面図である。
【図１２】配線器具の一例を示し、（ａ）は正面図、（ｂ）は側面図、（ｃ）は背面図である。
【図１３】配線器具の一例を示し、（ａ）は正面図、（ｂ）は側面図、（ｃ）は背面図である。
【図１４】同上の化粧プレートの他の構成例を示し、（ａ）は正面図、（ｂ）は背面図である。
【図１５】同上の化粧プレートの別の構成例を示し、（ａ）は正面図、（ｂ）は背面図である。
【図１６】同上の化粧プレートを配線器具が取着されたプレート枠に取り付けた状態を示し、（ａ）は正面図、（ｂ）は下面図、（ｃ）は側面図である。
【図１７】同上の化粧プレートを配線器具が取着されたプレート枠に取り付けた状態を示し、（ａ）は正面図、（ｂ）は下面図、（ｃ）は側面図である。
【図１８】同上の化粧プレートを配線器具が取着されたプレート枠に取り付けた状態を示し、（ａ）は正面図、（ｂ）は下面図、（ｃ）は側面図である。
【図１９】従来の化粧プレートの販売形態の一例を示す正面図である。
【図２０】同上の化粧プレートの流通および販売の説明図である。
【図２１】同上の化粧プレートの施工方法の説明図である。
【図２２】同上の化粧プレートの施工方法の説明図である。
【符号の説明】
【００３７】
２０  化粧プレート
２０ａ  化粧プレート本体
２０ｂ  フィルム
２１  窓孔
２２  係止突起
【図１】
2005073432.tif 000003
【図２】
2005073432.tif 000004
【図３】
2005073432.tif 000005
【図４】
2005073432.tif 000006
【図５】
2005073432.tif 000007
【図６】
2005073432.tif 000008
【図７】
2005073432.tif 000009
【図８】
2005073432.tif 000010
【図９】
2005073432.tif 000011
【図１０】
2005073432.tif 000012
【図１１】
2005073432.tif 000013
【図１２】
2005073432.tif 000014
【図１３】
2005073432.tif 000015
【図１４】
2005073432.tif 000016
【図１５】
2005073432.tif 000017
【図１６】
2005073432.tif 000018
【図１７】
2005073432.tif 000019
【図１８】
2005073432.tif 000020
【図１９】
2005073432.tif 000021
【図２０】
2005073432.tif 000022
【図２１】
2005073432.tif 000023
【図２２】
2005073432.tif 000024